(57)【要約】      （修正有）【課題】ディスプレイをタイル状ディスプレイ配置から取り外すための装置を提供する。【解決手段】装置１００は、本体１１０と、本体１１０の第１側面１１２に結合されたハンドル１２０と、本体１１０の第２側面１１４に結合された界面材１３０とを含む。ディスプレイをタイル状ディスプレイ配置から取り外すために、界面材１３０はディスプレイの前面に一時的に接合されるように構成される。界面材１３０は、ディスプレイの前面から選択的に接合解除されるように更に構成される。一部の具現例において、界面材１３０は、高い引張強さおよび剪断強さ、ならびに低い剥離強さを有する接合をもたらすように選択され得る。【選択図】図１Ａ
2019066831.tif 000002
【特許請求の範囲】
【請求項１】
タイル状ディスプレイ配置内のディスプレイを取り外すための装置であって、
第１側面と前記第１側面の反対側にある第２側面とを有する本体と、
前記本体の前記第１側面に結合されたハンドルと、
前記本体の前記第２側面に結合された界面材であって、前記ディスプレイを前記タイル状ディスプレイ配置から取り外すために前記ディスプレイの前面に一時的に接合されるように構成され、かつ前記ディスプレイの前記前面から選択的に接合解除されるように、構成された界面材と、
を備えた装置。
【請求項２】
前記界面材は接着剤を備える、請求項１に記載の装置。
【請求項３】
前記接着剤は乾式接着剤を備える、請求項２に記載の装置。
【請求項４】
前記界面材はマイクロまたはナノ吸着材を備える、請求項１に記載の装置。
【請求項５】
前記界面材は、前記ディスプレイの前記前面に一時的に接合されて前記ディスプレイを前記タイル状ディスプレイ配置から取り外すために高い剪断強さおよび高い引張強さと、前記ディスプレイの前記前面から選択的に接合解除されるために低い剥離強さの接合とをもたらす、請求項１に記載の装置。
【請求項６】
前記ディスプレイの前記前面からの選択的な接合解除のための剥離を開始するために、ばね付きプランジャを更に備える、請求項５に記載の装置。
【請求項７】
前記ディスプレイの前記前面からの選択的な接合解除のための剥離を開始するために、レバーを更に備える、請求項５に記載の装置。
【請求項８】
前記界面材は変化する厚さを有する、請求項１に記載の装置。
【請求項９】
前記本体は変化する厚さを有する、請求項１に記載の装置。
【請求項１０】
前記界面材は凹凸面に付着するために多面状である、請求項１に記載の装置。
【請求項１１】
前記本体の前記第２側面から延在する脚部を更に備え、前記界面材は前記脚部に結合される、請求項１に記載の装置。
【請求項１２】
タイル状ディスプレイ配置内のディスプレイを取り外す方法であって、
装置を前記ディスプレイの前面に前記装置の界面材を用いて接合するステップと、
前記装置を用いて前記ディスプレイを前記タイル状ディスプレイ配置から取り外すステップと、
前記装置を前記ディスプレイの前記前面から接合解除するステップと、
を含む方法。
【請求項１３】
前記接合解除するステップは、前記界面材を前記ディスプレイの前記前面から剥離するステップを含む、請求項１２に記載の方法。
【請求項１４】
前記剥離は、旋回剥離、転動剥離、経路剥離、またはマルチパッド剥離のうちの１つである、請求項１３に記載の方法。
【請求項１５】
前記接合解除するステップは、前記ディスプレイの前記前面からの前記界面材の前記剥離を開始するために、プランジャを押圧するステップを更に含む、請求項１３に記載の方法。
【請求項１６】
前記接合解除するステップは、前記ディスプレイの前記前面からの前記界面材の前記剥離を開始するために、レバーを傾斜させるステップを更に含む、請求項１３に記載の方法。
【発明の詳細な説明】
【技術分野】
【０００１】
本発明は、全般的にはタイル状ディスプレイ配置に関し、より具体的にはタイル状ディスプレイ配置からディスプレイを取り外すための装置および方法に関する。
【背景技術】
【０００２】
タイル状ディスプレイ配置は、より大きな表示面積を作成するために個々のディスプレイまたはディスプレイユニットがアレイ状に設定された融合体である。時には、修理または交換のために個々のディスプレイを取り外す必要がある。タイル状ディスプレイ配置内のディスプレイを取り扱うという問題を解決するための現在の製品または解決策は、吸着盤、磁石式工具、またはこじり工具を含む。
【０００３】
吸着盤は、気密封止をもたらすために、滑らかで連続した表面を通常必要とする。直視型ＬＥＤ（発光ダイオード）の場合、ＬＥＤパッケージの端縁間に距離を有するというＬＥＤパッケージの性質の故に、これは有効な解決策ではない。
【０００４】
現在、一部の製品には、磁石式工具または装置が存在する。これら工具は、ディスプレイを保持するために使用されている取り付け装置に打ち勝つために、かなりの磁力量を必要とし得る。多くの場合、取り外し工具としての磁石の実装は、磁石の数の故に費用がかかる上に、これら磁石の力を活性化／係合および／または不活性化／係合解除するための装置が必要とされ得る。これら磁石のサイズおよび形状構成は、装置の重量に影響を及ぼす。
【０００５】
ディスプレイをそのマウントからこじる、引っ張る、または外すために使用される物理的工具は、ディスプレイユニットを損傷する危険性が高い。更に、ベゼルが小さい、またはベゼルが無い、ディスプレイユニットの場合は、ディスプレイの取り外しまたは装着のための装置をディスプレイの側部または端縁に物理的に係合させるために有効なスペースが端縁にない。
【発明の概要】
【０００６】
ディスプレイをタイル状ディスプレイ配置から取り外すための装置が提供される。この装置は、本体と、ハンドルと、界面材とを含む。一部の実施形態においては、タイル状ディスプレイ配置の取り付け機構からディスプレイを安全に取り外せるように、界面材は高い引張強さと高い剪断強さとを有する接合をもたらす。ディスプレイの前面からの装置の容易且つ選択的な接合解除を可能にするために、界面材は低い剥離強さの接合をもたらす。界面材は、残渣を残さない乾式接着剤またはマイクロまたはナノ吸着材などの材料であることが好ましい。
【０００７】
一部の実施形態においては、特定の接着強度および剥離し難さを実現するために、界面材の厚さを変化させ得る。一部の実施形態においては、界面材の厚さを補完するために、本体の厚さを変化させ得る。
【０００８】
他の複数の実施形態において、界面材の形状寸法は、特定の最適な剥離経路を実現するように構成され得る。一部の実施形態において、本体の形状寸法は、転動剥離、旋回剥離、またはマルチパッド剥離など、特定種別の剥離を促すように構成され得る。
【０００９】
一部の実施形態においては、接着および剥離のための特性の更なる調整と所望される特定の性能の実現とを併せて可能にするために、界面材および本体の厚さおよび形状寸法を変化させ得る、および／または選択し得る。
【００１０】
本願明細書において、要素は、１つ以上の機能を行う「ために構成される（ｃｏｎｆｉｇｕｒｅｄ  ｔｏ）」、またはこのような機能「のために構成される（ｃｏｎｆｉｇｕｒｅｄ  ｆｏｒ）」と記述され得る。一般に、一機能を行うように構成された、または一機能の実行のために構成された、一要素は、その機能を実行可能である、またはその機能を実行するために適している、またはその機能を実行するために適合化されている、またはその機能を実行するために動作可能である、またはその機能を別様に実行可能である。
【００１１】
本願明細書の目的のために、「Ｘ、Ｙ、およびＺのうちの少なくとも１つ（ａｔ  ｌｅａｓｔ  ｏｎｅ  ｏｆ  Ｘ，Ｙ，ａｎｄ  Ｚ）」および「Ｘ、Ｙ、およびＺのうちの１つ以上（ｏｎｅ  ｏｒ  ｍｏｒｅ  ｏｆ  Ｘ，Ｙ  ａｎｄ  Ｚ）」という言い回しは、Ｘのみ、Ｙのみ、Ｚのみ、または２つ以上の項目Ｘ、Ｙ、およびＺの任意の組み合わせ（例えば、ＸＹＺ、ＸＹ、ＹＺ、ＺＺ、等々）と解釈され得ることを理解されたい。「少なくとも１つの．．．（ａｔ  ｌｅａｓｔ  ｏｎｅ．．．）」および「１つ以上の．．．（ｏｎｅ  ｏｒ  ｍｏｒｅ．．．）」という言い回しの何れの出現においても、同様の論理は２つ以上の項目にも当てはまり得る。
【００１２】
用語「約（ａｂｏｕｔ）」、「実質的に（ｓｕｂｓｔａｎｔｉａｌｌｙ）」、「本質的に（ｅｓｓｅｎｔｉａｌｌｙ）」、「ほぼ（ａｐｐｒｏｘｉｍａｔｅｌｙ）」、等々は、例えば当業者に理解されるように「に近い（ｃｌｏｓｅ  ｔｏ）」として定義される。一部の具現例において、これら用語は、「１０％以内」、他の具現例においては「５％以内」、更に他の具現例においては「１％以内」、および更に他の具現例においては「０．５％以内」であると理解される。
【００１３】
本発明の一態様によると、タイル状ディスプレイ配置内のディスプレイを取り外すための装置が提供される。本装置は、第１側面およびこの第１側面の反対側の第２側面を有する本体と、本体の第１側面に結合されたハンドルと、本体の第２側面に結合された界面材とを含み、この界面材は、ディスプレイをタイル状ディスプレイ配置から取り外すためにディスプレイの前面に一時的に接合されるように構成され、更にはディスプレイの前面から選択的に接合解除されるように構成される。
【００１４】
一部の具現例において、界面材は接着剤を備える。一部の具現例において、この接着剤は乾式接着剤を備える。一部の具現例において、界面材はマイクロまたはナノ吸着材を備える。一部の具現例において、界面材は、ディスプレイの前面に一時的に接合されてディスプレイをタイル状ディスプレイ配置から取り外すための高い剪断強さおよび高い引張強さの接合と、ディスプレイの前面から選択的に接合解除されるための低い剥離強さとをもたらす。
【００１５】
一部の具現例において、本装置は、ディスプレイの前面からの選択的な接合解除のための剥離を開始するために、ばね付きプランジャを更に備える。一部の具現例において、本装置は、ディスプレイの前面からの選択的な接合解除のための剥離を開始するために、レバーを更に備える。
【００１６】
一部の具現例において、界面材は変化する厚さを有する。一部の具現例において、本体は変化する厚さを有する。一部の具現例において、界面材は、凹凸面に付着するために多面状である。一部の具現例において、本装置は、本体の第２側面から延在する複数の脚部を更に備え、界面材はこれら脚部に結合される。
【００１７】
本発明の別の態様によると、タイル状ディスプレイ配置内のディスプレイを取り外す方法が提供される。本方法は、装置の界面材を用いて装置をディスプレイの前面に接合するステップと、装置を用いてディスプレイをタイル状ディスプレイ配置から取り外すステップと、装置をディスプレイの前面から接合解除するステップとを含む。
【００１８】
一部の具現例において、接合解除するステップは、界面材をディスプレイの前面から剥離するステップを含む。一部の具現例において、この剥離は、旋回剥離、転動剥離、経路剥離、またはマルチパッド剥離のうちの１つである。一部の具現例において、接合解除するステップは、ディスプレイの前面からの界面材の剥離を開始するために、プランジャを押圧するステップを更に含む。
【図面の簡単な説明】
【００１９】
【図１Ａ】本発明の一実施形態による、ディスプレイをタイル状ディスプレイ配置から取り外すための装置の側面図を示す。
【図１Ｂ】図１Ａの装置の斜視図を示す。
【図２】本発明の別の実施形態による、ディスプレイをタイル状ディスプレイ配置から取り外すための装置の側面図を示す。
【図３Ａ】本発明の別の実施形態による、ディスプレイをタイル状ディスプレイ配置から取り外すための装置の正面図を示す。
【図３Ｂ】本発明の別の実施形態による、ディスプレイをタイル状ディスプレイ配置から取り外すための装置の側面図を示す。
【図３Ｃ】レバーが剥離姿勢にある図３Ｂの装置の側面図を示す。
【図４】本発明の更に別の実施形態による、ディスプレイをタイル状ディスプレイ配置から取り外すための装置の側面図を示す。
【図５】本発明の別の実施形態による、ディスプレイをタイル状ディスプレイ配置から取り外すための装置の斜視図を示す。
【図６】本発明の別の実施形態による、ディスプレイをタイル状ディスプレイ配置から取り外すための装置の斜視図を示す。
【図７】本発明の一実施形態による、ディスプレイをタイル状ディスプレイ配置から取り外す方法を示す。
【図８】タイル状ディスプレイ配置内のディスプレイに接合された図１Ａの装置を示す。
【図９】ディスプレイをタイル状ディスプレイ配置から取り外している図８の装置を示す。
【図１０】ディスプレイから接合解除されている図１Ａの装置を示す。
【図１１】ディスプレイから更に接合解除されている図１０の装置を示す。
【発明を実施するための形態】
【００２０】
図１Ａは、本発明の一実施形態による、ディスプレイをタイル状ディスプレイ配置から取り外すための装置１００を示す。装置１００は、本体１１０と、ハンドル１２０と、界面材１３０とを含む。図１Ｂは、装置１００の斜視図を示す。
【００２１】
本体１１０は、第１側面１１２と第２側面１１４と有し、第２側面１１４は第１側面１１２の反対側にある。本体１１０は、構造上の支持を装置１００にもたらすための何れか適した材料を備え得る。本体１１０は、金属とプラスチックとこれらに類するものの、ただしこれだけには限定されない、組み合わせを含み得る。装置１００の容易な取り扱いを可能にするために、本体１１０は軽量化されることが好ましい。図示のように、本体１１０は、第２側面１１４に隣接する旋回エッジ１１５を１つ以上有し得る。装置１００は、図１０および図１１を参照して以下で説明するように、旋回エッジ１１５を中心として旋回し得る。
【００２２】
ハンドル１２０は、本体１１０の第１側面１１２に結合される。ハンドル１２０は、使用者がハンドル１２０を介して装置１００を操作できるように、何れか適した材料を備え得る。ハンドル１２０は、金属とプラスチックとこれらに類するものの、ただしこれだけには限定されない、組み合わせを含み得る。ハンドル１２０は、本体１１０に一体化され得る、あるいは溶接、ネジ、ボルト、または他の適した締結具によって本体１１０に結合され得る。ハンドル１２０は、使用者の手、またはその一部、を受け入れるための開口１２２を規定するために、本体１１０に２か所で結合され得る。あるいは、ハンドル１２０はノブ状でもよく、あるいは使用者の手にフィットする、または装置１００の操作のために別様に適した、輪郭を有してもよい。
【００２３】
界面材１３０は、本体１１０の第２側面１１４に結合される。界面材１３０は、接着フィルムまたは湿式接着剤などの接着剤によって第２側面１１４に結合され得る。界面材１３０は、ディスプレイをタイル状ディスプレイ配置から取り外すために、ディスプレイの前面に一時的に接合されるように構成される。界面材１３０は、ディスプレイの前面から選択的に接合解除されるように更に構成される。例えば、界面材１３０は、接着剤またはマイクロまたはナノ吸着材であり得る。一部の具現例においては、装置１００がディスプレイから接合解除されるときにディスプレイ表面に残渣を残さないように、界面材１３０は乾式接着剤を備える。
【００２４】
界面材１３０は、ディスプレイの前面への一時的接合の所望される引張強さ、剪断強さ、および剥離強さを実現するために選択された接着特性を有する。界面材１３０は、別の表面と接合部を形成し得る。通常、この接合部は、接合面として公知の平面に形成される。接合部の引張強さとは、引張応力下で界面材１３０がもう一方の表面に接合され続けているための指標と理解され得る。引張応力は、界面材１３０ともう一方の表面との間の接合部に、接合面に対して垂直方向に加わる応力である。接合部の剪断強さとは、剪断応力下で界面材１３０がもう一方の表面に接合され続けているための指標と理解され得る。剪断応力は、界面材１３０ともう一方の表面との間の接合部に、接合面に平行な方向に加わる応力である。引張強さと剪断強さとは一緒に、界面材１３０ともう一方の表面との間の接合を持続させるための保持強度をもたらし得る。接合部の剥離強さとは、剥離応力下で界面材１３０がもう一方の表面に接合され続けているための指標と理解され得る。剥離応力は、接合部の端縁に剥離線に沿って加わる応力である。
【００２５】
図８は、タイル状ディスプレイ配置１５内のディスプレイ１０の前面に接合された装置１００を示す。ディスプレイ１０の可能なサイズは、２４０ｍｍ×２７０ｍｍ、４８０ｍｍ×２７０ｍｍ、５００ｍｍ×５００ｍｍ、および１２８０ｍｍ×８００ｍｍを含むが、これだけに限定されない。ディスプレイ１０は、タイル状ディスプレイ配置１５用の取り付け装置（不図示）に力Ｆｍｏｕｎｔで固定されている。ディスプレイ１０を取り外すために、使用者は力Ｆｒｅｍｏｖｅを装置１００に、例えば力Ｆｍｏｕｎｔと反対方向に、加える。力Ｆｒｅｍｏｖｅは、界面材１３０とディスプレイ１０の前面との間の接合部に引張応力を加える。装置１００はディスプレイ１０の前面に接合されているので、引張応力はディスプレイ１０に平行移動する。ここで、力Ｆｒｅｍｏｖｅは力Ｆｍｏｕｎｔより大きい。したがって、接合部は、力Ｆｒｅｍｏｖｅが装置１００に加えられたときにディスプレイ１０に接合され続けているために、更には少なくとも力Ｆｍｏｕｎｔに打ち勝つために、十分な引張強さを通常有する。換言すると、接合部の引張強さは少なくとも力Ｆｍｏｕｎｔより大きい。
【００２６】
図９は、ディスプレイ１０をタイル状ディスプレイ配置１５から取り外している装置１００を示す。ディスプレイ１０がタイル状ディスプレイ配置１５から取り外されると、装置１００を用いてディスプレイ１０を操作しているときに、重力Ｆｇｒａｖｉｔｙがディスプレイ１０に加わり得る。力Ｆｇｒａｖｉｔｙは、界面材１３０とディスプレイ１０の前面との間の接合部に剪断応力を加える。したがって、接合部は、ディスプレイ１０に接合され続けているために、更には少なくともＦｇｒａｖｉｔｙに打ち勝つために、十分な剪断接合強さを通常有する。したがって、例えば、ディスプレイの前面への接合部の剪断接合強さは、ディスプレイ１０の重力Ｆｇｒａｖｉｔｙより大きい。
【００２７】
例えば、約１０００Ｐａ〜６０００Ｐａの引張強さと約１２００Ｐａ〜約６０００Ｐａの剪断強さとを有する接合をもたらす界面材１３０が装置１００での使用のために選択され得る。このような引張強さおよび剪断強さは、一部の具現例において、ディスプレイ１０をタイル状ディスプレイ配置１５から取り外すときに、およびディスプレイ１０をタイル状ディスプレイ配置１５から離れる方向に更に操作するときに、十分な保持力を装置１００のためにもたらすことになる。タイル状ディスプレイ配置１５の取り付け装置および個々のディスプレイの重量によっては、上記の値より大きい引張強さおよび剪断強さでディスプレイの前面への接合をもたらす界面材が選択され得る。装置１００の保持力は、界面材１３０の表面積および接着特性を調整することによって、所与のサイズおよび種類のディスプレイのために更に最適化され得る。
【００２８】
装置１００をディスプレイ１０から接合解除するために、ディスプレイ１０からの装置１００の剥離を開始するための剥離力が装置１００に加えられる。この剥離力は、剥離機構によって加えられ得る。この剥離機構は、以下で更に説明するように、例えば、本体１１０の幾何学的または機械的側面であり得る。剥離力は、ディスプレイの前面への接合部に剥離応力を加える。ディスプレイ１０をタイル状ディスプレイ配置１５から取り外すために必要とされる力より小さい力で装置１００をディスプレイ１０から接合解除できるように、ディスプレイの前面への接合部は、ディスプレイの前面への接合部の剪断強さの約５〜１０％の剥離強さを通常有する。
【００２９】
ディスプレイ１０の前面からの界面材１３０の接合解除および／または剥離は、本体１１０の形状構成、および／または界面材１３０の厚さ、において幾何学的に調整され得る。界面材１３０の厚さまたは他の形状寸法、および／または本体１１０の形状寸法、を変化させることによって、特定性能の接着および／または剥離特性が実現され得る。例えば、さまざまな厚さを有する界面材１３０を本体１１０と組み合わせて使用すると、所望される効果のために性能を更に調整できる。下記のように、本体１１０は、特定の剥離経路をもたらすように、および／または接着の表面積を増やすように、ならびに本体１１０上の界面材１３０の高さによって付着力を変化させるように、構成され得る。
【００３０】
図１０および図１１は、旋回剥離を用いて装置１００がディスプレイ１０から如何に接合解除され得るかを模式的に示す。旋回剥離とは、旋回動作を用いて界面材１３０をディスプレイ１０から剥離する一方法である。したがって、図１０および図１１に示されているように、傾斜力Ｆｔｉｌｔが装置１００のハンドル１２０に加えられる。傾斜力Ｆｔｉｌｔは、旋回動作Ｐを用いてディスプレイの前面からの界面材１３０の剥離を開始させる。具体的には、旋回エッジ１１５を中心としたこのような旋回動作Ｐは、ディスプレイ１０からの界面材１３０の剥離を開始するための剥離力Ｆｐｅｅｌを第２側面１１４の反対側エッジにおいてもたらす。
【００３１】
次に、ディスプレイ１０などのディスプレイをタイル状ディスプレイ配置から取り外すための装置の別の実施形態２００を示す図２に着目する。装置２００は、第１側面２１２および第２側面２１４を有する本体２１０と、本体２１０の第１側面２１２に結合されたハンドル２２０と、本体２１０の第２側面２１４に結合された界面材２３０（界面材１３０と同様）とを有する。ただし、本体１１０と異なり、本体２１０は、第２側面２１４に隣接する丸みを帯びたエッジ２１５を１つ以上含み、そこを中心として装置２００が転動し得る。したがって、傾斜力を装置２００のハンドル２２０に加えると、転動動作を用いてディスプレイの前面からの界面材２３０の剥離を開始させ得る。具体的には、エッジ２１５を中心としたこのような転動動作は、ディスプレイ１０などのディスプレイからの界面材２３０の剥離を開始するための剥離力を第２側面２１４の反対側エッジにおいてもたらす。したがって、装置２００は、転動剥離を用いてディスプレイから接合解除され得る。界面材２３０は、転動動作を用いてディスプレイ１０から剥離される。
【００３２】
図３Ａは、ディスプレイ１０などのディスプレイをタイル状ディスプレイ配置から取り外すための装置の別の実施形態３００を示す。装置３００は、第１側面（図示せず）および第２側面３１４を有する本体３１０と、本体３１０の第１側面に結合されたハンドル（図示せず）と、本体３１０の第２側面３１４に結合されたＵ字状の界面材３３０（界面材１３０と同様）とを有する。装置３００は、第２側面３１４の正面を見せて図示されている。装置３００の第１側面およびハンドルは上記のものと同様である。
【００３３】
装置３００は、経路剥離を用いてディスプレイ１０から接合解除され得る。経路剥離とは、例えば界面材３３０の形状によって規定されたような、界面材３３０の経路に沿って界面材３３０をディスプレイ１０から剥離する一方法である。例えば、剥離経路は、より短い剥離線を界面材３３０の形状の一部分に有し、より長い剥離線を別の部分に有することによって、促され得る。より短い剥離線は、界面材３３０をディスプレイ１０の前面から剥離するために必要な剥離力が、より長い剥離線において必要とされる剥離力より小さい。したがって、より短い剥離線において開始される剥離経路は、より長い剥離線において開始される剥離経路より実現し易い。この実施形態においては、特定の剥離経路に沿った剥離動作を促すために、界面材３３０はＵ字状に構成される。具体的には、所望される剥離経路は、Ｕ字状の界面材３３０の両先端３３２から始まり、Ｕ字形状に沿って続く。Ｕ字状の形状の故に、Ｕ字状の界面材３３０の底部３３３での剥離の開始は、より長い剥離線を生じさせるので、より短い剥離線を有する両先端３３２での剥離の開始より困難であり得る。したがって、（例えば、Ｕ字状の界面材３３０の底部３３３で剥離を開始するように剥離力を加えるのとは逆に）両先端３３２で剥離を開始するように剥離力が加えられ得る。界面材３３０の形状寸法は、装置３００によって取り外されるディスプレイ１０、タイル状ディスプレイ配置、およびタイル状ディスプレイ配置のディスプレイ取り付け装置に基づき、装置３００の使用中の不測の剥離を極力抑えるように構成され得る。例えば、界面材３３０は、より短い剥離線とより長い剥離線とを有するように、ひいては特定の方向への剥離経路を促し、他の方向への剥離経路を阻止するように、構成されたＳ字状、螺旋状、または他の適した形状であり得る。
【００３４】
一部の実施形態においては、機械装置が剥離の開始を助け得る。例えば、図３Ａは、装置３００をディスプレイ１０の前面から選択的に接合解除するための剥離動作を開始するために押圧された位置にあるばね付きプランジャ３１６を更に示す。ばね付きプランジャ３１６が押圧されると、プランジャ３１６はディスプレイ１０の前面を押し下げるので、界面材３３０がディスプレイ１０の前面から局所的に引き離され、剥離が開始される。ばね付きプランジャ３１６は、界面材３３０の先端３３２での剥離経路の開始を促すために、先端３３２の近くに配置され得る。他の複数の具現例において、ばね付きプランジャ３１６は、エッジまたはコーナーの近くなど、界面材３３０のための所望の剥離線開始位置の近くに配置され得る。装置３００は、ディスプレイ１０の前面からの選択的な接合解除のための剥離を開始するために、本体３１０の一部をディスプレイ１０から離れる方向に持ち上げるように構成された、レバーおよびこれに類するものなど、他の適した機械装置を含み得る。この機械装置は、剥離を開始するために単独で使用され得る、または剥離を開始するための、本願明細書に記載されているものなど、幾何学的または他の手段と組み合わせて使用され得る。
【００３５】
図３Ｂは、ディスプレイ１０などのディスプレイをタイル状ディスプレイ配置から取り外すための装置３５０を示す。装置３５０は、第１側面３６２および第２側面３６４を有する本体３６０と、本体３６０の第１側面３６２に結合されたハンドル３７０と、第２側面３６４の延長部分３６５を形成するように構成された本体３６０に隣接するレバー３６６と、本体３６０の第２側面３６４に結合された、更には第２側面３６４の延長部分３６５においてレバー３６６に結合された、界面材３８０（界面材１３０と同様）とを有する。図３Ｂには、静止姿勢にあるレバー３６６が示されている。図３Ｃは、レバー３６６が剥離姿勢にある装置３５０を示す。使用者が傾斜力Ｆｔｉｌｔをレバー３６６に加えると、レバー３６６は剥離力Ｆｐｅｅｌを界面材３８０に加えるので、装置３５０をディスプレイ１０から接合解除するための剥離が開始される。
【００３６】
図４は、ディスプレイ１０などのディスプレイをタイル状ディスプレイ配置から取り外すための装置の別の実施形態４００を示す。装置４００は、第１側面４１２および第２側面４１４を有する本体４１０と、本体４１０の第１側面４１２に結合されたハンドル４２０と、本体４１０の第２側面４１４に結合された界面材４３０（界面材１３０と同様）とを有する。装置４００において、界面材４３０は、本体４１０の第２側面４１４全体にわたって変化する厚さを有する。界面材４３０の変化する厚さを補完するために、本体４１０も変化する厚さを有し得る。
【００３７】
図５は、ディスプレイをタイル状ディスプレイ配置から取り外すための装置の別の実施形態５００を示す。装置５００は、第１側面５１２および第２側面５１４を有する本体５１０と、本体５１０の第１側面５１２に結合されたハンドル５２０と、本体５１０の第２側面５１４に結合された界面材５３０とを有する。装置５００は、凹凸面に付着するための多面状の界面材５３０を例示している。界面材５３０は、界面材５３０の表面がディスプレイの凹凸面を補完するように多面状であることによって、凹凸面を有するディスプレイに付着するように構成され得る。したがって、界面材は、装置５００およびディスプレイを操作するために、凹凸面の各変形に付着する。あるいは、界面材５３０は、所望される接触面積に応じて装置５００およびディスプレイの接触面積を制限するために、多面状に構成され得る。例えば、界面材５３０に接触させるべきではない傷つき易い領域がある場合、界面材５３０はこれら領域を回避し、傷つき易い領域を取り囲んでディスプレイに付着するような輪郭および／またはカット面を有し得る。
【００３８】
図６は、ディスプレイをタイル状ディスプレイ配置から取り外すための装置の別の実施形態６００を示す。装置６００は、本体６１０と本体６１０に結合されたハンドル６２０と、本体６１０から延在して足部６１９に終端する複数の脚部６１８と、脚部６１８に結合された界面材６３０とを有する。一部の実施形態において、本体６１０は第１側面６１２と第２側面６１４とを有し得る。ハンドル６２０は第１側面６１２に結合され、脚部６１８は第２側面６１４から延在する。脚部６１８は、界面材６３０のための構造上の支持をもたらすために適した何れかの材料を備え得る。脚部６１８は、本体６１０に一体化され得る、あるいは溶接、ネジ、ボルト、または他の適した締結具によって本体６１０に結合され得る。界面材６３０は、界面材６３０の複数のパッドに分離され得る。各パッドは、脚部６１８の足部６１９に結合される。
【００３９】
装置６００は、ディスプレイの前面に接着され得る界面材６３０のパッドを複数有する。脚部６１８の数、長さ、および本体６１０からの距離は、凹凸面、所望される接触面積、および接着強度に合わせて変化し得る。装置６００は、マルチパッド剥離を用いてディスプレイから接合解除され得る。この場合、界面材６３０の複数のパッドは、傾斜力をハンドルに加えることによって、一度に１つずつ剥離される。
【００４０】
図７は、本発明による、ディスプレイ１０などのディスプレイをタイル状ディスプレイ配置から取り外す方法７００を示す。方法７００は、上記の何れかの装置を用いて、または他の適した装置によって、実施され得る。
【００４１】
ブロック７１０において、例えば図８に示されているように、装置の界面材を用いて、装置がディスプレイ１０の前面に接合される。
【００４２】
ブロック７２０において、ディスプレイ１０は、例えば図９に示されているように、装置を用いてタイル状ディスプレイ配置から取り外される。
【００４３】
ブロック７３０において、装置は、ディスプレイ１０の前面から接合解除される。
【００４４】
一部の実施形態において、接合解除するステップは、例えば図１０および図１１に示されているように、界面材をディスプレイ１０の前面から剥離するステップを含む。
【００４５】
一部の実施形態において、この剥離は、旋回剥離、転動剥離、経路剥離、またはマルチパッド剥離のうちの１つである。他の複数の実施形態において、接合解除するステップは、ディスプレイ１０の前面からの界面材の剥離を開始するために、図３Ａに見えるようなプランジャ３１６などのプランジャを押圧するステップを更に含む。
【００４６】
このように、ディスプレイをタイル状ディスプレイ配置から取り外すための装置および方法が提供される。装置は、軽量且つ強力である。ディスプレイへの界面材の接合部の高い引張強さおよび高い剪断強さは、タイル状ディスプレイ配置の取り付け機構からのディスプレイの安全な取り外しを可能にする。更に、界面材の低い剥離強さは、ディスプレイの前面からの装置の容易且つ選択的な接合解除を可能にする。界面材および本体の厚さおよび形状寸法は、接着および剥離のために所望される特定の性能を実現するために、変化および選択され得る。したがって、本装置は、凹凸面を有するディスプレイに対して使用され得る。更に、本装置はディスプレイの前面に付着するので、ベゼルが小さい、またはベゼルが無い、ディスプレイユニットのために効果的に使用され得る。
【図１Ａ】
2019066831.tif 000003
【図１Ｂ】
2019066831.tif 000004
【図２】
2019066831.tif 000005
【図３Ａ】
2019066831.tif 000006
【図３Ｂ】
2019066831.tif 000007
【図３Ｃ】
2019066831.tif 000008
【図４】
2019066831.tif 000009
【図５】
2019066831.tif 000010
【図６】
2019066831.tif 000011
【図７】
2019066831.tif 000012
【図８】
2019066831.tif 000013
【図９】
2019066831.tif 000014
【図１０】
2019066831.tif 000015
【図１１】
2019066831.tif 000016
【外国語明細書】
2019066831000001.pdf